(57)【要約】【課題】本発明は、シューズを足のサイズにジャストフィットさせることのできるスライドアジャスタを備えたシューズであって、ソールの下部以外の外観にスライドアジャスタが一切現れることのないシューズを提供することを目的とするものである。【解決手段】本発明のシューズは、アッパーの上部に緊締ベルトが設けられ、該緊締ベルトがソールでスライドアジャスタに連結されたシューズであって、該スライドアジャスタはバンドとバックルからなり、バンドに形成した鋸歯状の係合溝にバックルの係合爪を係合させ該係止状態においてバンドはバックルに接近自在であるが後退不能とされ、前記バックルが前記ソールに設けられると共に、前記バンドが前記緊締ベルトに連結されたことを特徴とする。【選択図】図１
2014217530.tif 000002
【特許請求の範囲】
【請求項１】
アッパーの上部に緊締ベルトが設けられ、該緊締ベルトがソールでスライドアジャスタに連結されたシューズであって、
該スライドアジャスタはバンドとバックルからなり、バンドに形成した鋸歯状の係合溝にバックルの係合爪を係合させ該係止状態においてバンドはバックルに接近自在であるが後退不能とされ、
前記バックルが前記ソールに設けられると共に、前記バンドが前記緊締ベルトに連結されたことを特徴とするシューズ。
【請求項２】
前記バックルがソールに埋め込まれた請求項１記載のシューズ。
【請求項３】
前記バックルにカバーを設けた請求項１または２記載のシューズ。
【発明の詳細な説明】
【技術分野】
【０００１】
この発明は、スライドアジャスタを備えたシューズに関し、詳細には、簡単にサイズ調整をすることができることに加えて、ソールの下部以外の外観にサイズ調整機構が一切現れないシューズ関するものである。
【背景技術】
【０００２】
従来、紐、面ファスナーのほか、スライドファスナー等を用いたシューズが知られている。
紐によるものは、シューズのアッパーに複数の開口を設けて該開口に紐を通し、シューズを履く際は紐を緩めた上で足をシューズ内部に挿入した後、前記紐を緊締することによりシューズを足にフィットさせる。
紐を使用すれば、履く者が自分の好みのフィット感で緊締具合を決めることができるが、シューズを履いているうちに紐が緩んだり解けたりするので、紐を締め直す行為が度々必要になることがあった。また、紐を締める行為自体も煩雑である。
【０００３】
面ファスナーによるものは、アッパー上部の適宜位置に面ファスナーを設け、シューズを履く際は面ファスナーをアッパーから分離した状態で足をシューズ内部に挿入した後、前記面ファスナーを接合することによりシューズを足にフィットさせる。
面ファスナーを使用すれば、紐を使用した場合に比べてシューズの脱ぎ履きが容易であるが、サイズの微調整が困難であり、外観上も紐を使用した場合と比較して体裁が悪いという問題があった。
【０００４】
一方、シューズの一部をゴム製とすることによって、シューズを足にフィットさせることも行われている。シューズの一部をゴム製とすると、吸汗性、速乾性、防臭性等の機能を損なう虞がある。また、ゴムの接合強度は経年変化が大きく、低下する可能性がある。
【０００５】
上記に掲げた問題の他、従来の紐、面ファスナー、スライドファスナーを用いたシューズは何れもサイズ調整機構がアッパー上部に現れることにより（特許文献１参照）、デザインの自由度が制限される。
【先行技術文献】
【特許文献】
【０００６】
【特許文献１】特許第３６８３８８１号公報
【発明の概要】
【発明が解決しようとする課題】
【０００７】
本発明は、シューズを足のサイズにジャストフィットさせることのできるスライドアジャスタを備えたシューズであって、ソールの下部以外の外観にスライドアジャスタが一切現れることのないシューズを提供することを目的とするものである。
【課題を解決するための手段】
【０００８】
本発明のシューズは、アッパーの上部に緊締ベルトが設けられ、該緊締ベルトがソールでスライドアジャスタに連結されたシューズであって、該スライドアジャスタはバンドとバックルからなり、バンドに形成した鋸歯状の係合溝にバックルの係合爪を係合させ該係止状態においてバンドはバックルに接近自在であるが後退不能とされ、前記バックルが前記ソールに設けられると共に、前記バンドが前記緊締ベルトに連結されたことを特徴とする。
【０００９】
前記バックルがソールに埋め込まれたことが好ましい。
【００１０】
前記バックルにカバーを設けたことが好ましい。    
【発明の効果】
【００１１】
本発明のシューズは、ソールに設けたスライドアジャスタにより、簡単にサイズ調整をしてシューズを足のサイズにジャストフィットさせることができることに加えて、スライドアジャスタがソールの下部以外の外観に一切現れることがないためデザインの自由度が極めて高い。
【図面の簡単な説明】
【００１２】
【図１】本発明のシューズの斜視図（図（１））とその底面図（図（２））である。
【図２】スライドアジャスタ８の平面図（図２（１））と、同図のｚ−ｚ切断線における縦断側面図（図２（２）、（３））である。
【図３】本発明のシューズの他の実施形態を示す底面図である。
【図４】本発明のシューズの別の実施形態を示す底面図である。
【発明を実施するための形態】
【００１３】
以下、本発明に係るスライドアジャスタを備えたシューズの実施形態を図面に基づいて説明する。
図１（１）はシューズ２の斜視図であり、これらの図において、シューズ２は、ソール３、ソール３に立設されるアッパー４、およびアッパーの上部に設けられた緊締ベルト５とからなるシューズ本体６により主体が構成される。前記緊締ベルト５は図１（２）に示す通りソール３の下部でスライドアジャスタ８に連結されている。
【００１４】
ソール３に設けられるスライドアジャスタ８については図２を用いて後述するように、バンド１０とバックル２０とからなり、バックル２０はソール３の下部に固定され、バンド１０は前記緊締ベルト５に連結される。バックル２０はソール３に固定されればいずれの位置であっても良く、特に土踏まずの位置に固定するのが好ましい。  
【００１５】
次に図２を用いてスライドアジャスタ８を説明する。
図２にはバンド１０とバックル２０からなるスライドアジャスタが示されており、図２（１）はその平面図、図２（２）は図２（１）のｚ−ｚ切断線における縦断側面図である。
【００１６】
これらの図において、所要の長さ、幅、厚みを有するバンド１０の外表面には、先端（バックル２０に近い部分）から末端にかけて鋸歯状の係合溝１２が形成される。
【００１７】
バックル２０は、底板２１、これに対向する天井枠２２、および底板２１と天井枠２２とを接続する側板２３、２３とからなる偏平かつ筒状のバックル２４により主体が構成されている。バックル本体２４はバンド１０のスライド方向が挿通口として開口され、その内部はバンド１０の挿通空間２６となる。本実施形態では、底板２１の長手方向（バンド１０のスライド方向）の長さを天井枠２２の長手方向の長さよりも長くすることにより、シューズ２への取付を容易にすると共に、バンド１０の挿通がスムーズに行われるようにしている。
【００１８】
天井枠２２の内側には、その内に納まる大きさの操作板３０が水平に設置される。操作板３０の一端部下面には、バンド１０の係合溝１２に係合可能な係合爪３１を突設し、他端部の上面は係合解除用の押圧部３２となる。本実施形態では、押圧部の高さを天井枠２２よりも低くしているが、当該高さについて特段の制限はない。押圧部３２の高さを天井枠２２と同じかそれよりも低いものとすれば、押圧部３２に当たって不用意に係合が解除されるのを防ぐことができる。
【００１９】
操作板３０の長手方向の中間地点には、連結軸３５が形成され、この連結軸３５は両側板２３、２３の上部内壁に連結されている。連結軸３５の断面形状は、円形、楕円形、その他の種々の形状とすることができる。連結軸３５は操作板３０を揺動自在に軸支すると共に、反復的な揺動により破損しない形状であれば差し支えない。なお、連結軸３５は両側板２３、２３に限らず、操作板３０と対向する天井枠２２の二辺に支承されていても、後述する作用と同じ作用を発揮することができる。
【００２０】
本発明の操作板３０において、押圧部３２と連結軸３５間の横幅は、操作板３０の揺動と強度を満たす限りにおいてなるべく狭く設定されると共に、バックル本体２４においては、対向する天井枠２２、２２から、規制部材としての張出部２８、２８が内側に向かって水平方向に伸出している。この規制部材は、押圧部３２に垂直方向の力が不用意に作用するのを規制するための部材である。
【００２１】
図２に示す実施形態では、操作板３０の一端部（係合爪３１の設けられた側）を、対向する両側板２３、２３の内壁に連結している。当該連結は、操作板３０の隅角部から延びる屈曲した連結部材３６、３６によりなされており、押圧部３２を押し下げた後、押圧部３２から指を離した時点で操作板３０が元の水平状態に復元し易くしたものである。従って、連結部材３６の形状としてはこの他にも、波板等、種々のものを適用することができる。換言すれば、連結部材３６は操作板３０の揺動動作に対するダンパーとしての機能を有するものである。
なお、操作板３０と側板２３との連結は、連結軸３５を挟んで押圧部３２の反対側であれば良く、前記一端部以外である操作板３０の側縁部でも良いし、側板２３に代えて天井枠２２に連結しても良い。
【００２２】
操作板３０の一端部（係合爪３１の設けられた側）に設けた突起３３は、係合解除時に操作板３０の押圧部３２が必要以上に押し下げられるのを防止するためのストッパである。
また、符号３４も押圧部３２の押し下げ時に張出部２８の側面に当接して（図２（３）参照）、押圧部３２が必要以上に押し下げられ、操作板３０がバンド１０の上面に当たるのを防止するためのストッパである。これらのストッパ３３、３４はいずれか一方を備えれば十分である。
【００２３】
バックル２０は、可撓性を有する合成樹脂により成型することができ、特に、操作板３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。  
【００２４】
続いて、上記スライドアジャスタの作用を説明する。図２（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００２５】
バンド１０を押圧部３２側（図２（２）において左側）からバックル本体２４の挿通空間２６内に進入させていくと、バンド１０の上面が操作板３０の係合爪３１に接触して、操作板３０の一端部（係合爪３１が形成された側）を押し上げながら前進し、バックル２０に対するバンド１０の接近・離隔位置が調節される。この状態では、図２（２）に示すように、係合爪３１が所定の係合溝１２と噛み合って係止しているので、バンド１０はバックル２０に対して進出自在であるが、後退不能である。
【００２６】
他方、バックル２０からバンド１０を後退させたり、引き抜いたりするには、操作板３０の押圧部３２を軽く指で押し下げれば、図２（３）に示すように、連結軸３５を中心として操作板３０が回転する結果、反対側に位置する係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【００２７】
本発明において、スライドアジャスタ８は上記の構造を有するものに限らず、バンドに係合溝を設け、この溝にバックルのフックを弾性的に係合し、バンドとバックルの係止状態においてバンドはバックルに接近自在であるが後退不能とされたスライドアジャスタであれば、いずれの構造のものでも良い。
【００２８】
次に、図１に示すシューズのサイズ調整方法を説明する。
シューズ２のサイズを調整するには、ソール３に足を付けた状態において緊締ベルト５をバックル２０側に押し込んでスライドアジャスタ８のバンド１０をバックル２０の挿通口に進入させれば良い。
【００２９】
この操作によって、シューズ２のサイズを小さく調整することができるが、バンド１０（緊締ベルト５）とバックル２０を引き離そうとしても、スライドアジャスタ８の作用によって、シューズ２のサイズが大きくなることはない。シューズ２のサイズを大きくするには、スライドアジャスタ８の押圧部３２を指先等で押圧すれば良い。  
【００３０】
本発明のシューズでは、サイズ調整が容易であることに加えて、スライドアジャスタ８がソール３の下部以外の外観に全く現れないので、シューズ２のデザインの自由度が極めて高い。
【００３１】
続いて、本発明の別の実施形態について図３を用いて説明する。
本実施形態において、バックル２０がソール３に埋め込まれる。バックル２０がソール３に埋め込まれるので、スライドアジャスタ８が身体やその他の物体に当たって誤作動や怪我を引き起こす虞がない。
【００３２】
次に、本発明の他の実施形態について図４を用いて説明する。
本実施形態では、バックル２０にカバー９が設けられるので砂噛みによる誤作動を防止することができる。カバー９には押圧部３２の操作ができるように開口部９ａが設けられる。
【００３３】
以上、スライドアジャタを備えたシューズに係る実施形態について説明したが、シューズについては、ランニングシューズ、サッカーシューズ等のスポーツ用シューズの他、スニーカーや安全靴など、幅広く適用することができる。
【符号の説明】
【００３４】
２      シューズ
３      ソール
４      アッパー
５      緊締ベルト
６      シューズ本体
８      スライドアジャスタ
１０    バンド
２０    バックル
【図１】
2014217530.tif 000003
【図２】
2014217530.tif 000004
【図３】
2014217530.tif 000005
【図４】
2014217530.tif 000006